【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータのピクチャ中の現在のブロックに対する隣接ブロックを復号することと、
前記隣接ブロック中の前記現在のブロックに対する隣接ピクセルのフィルタ処理されたバージョンを備える複数のフィルタ処理された基準値を備えるフィルタ処理された基準アレイを計算することによって、フィルタ処理された予測を形成することと、
前記隣接ピクセルのフィルタ処理されていないバージョンに対応する複数のフィルタ処理されていない基準値を備えるフィルタ処理されていない基準アレイを計算することによって、フィルタ処理されていない予測を形成することと、
重みの第１のセットを乗算した前記フィルタ処理された予測と重みの第２のセットを乗算した前記フィルタ処理されていない予測との線形結合に基づいて前記現在のブロックのピクセルのセットに関連する予測値のセットを計算することと、
予測値の前記計算されたセットに基づいて前記現在のブロックを再構成することと、
を備える方法。
【請求項２】
重みの前記第１のセットと重みの前記第２のセットとが、ピクセルの前記セットの予測されたピクセルの位置に基づいて変動し、好ましくは、
第１の重みに関連する予測値の前記セットの第１の予測値と前記フィルタ処理された基準アレイとの間の第１の距離が、第２の重みに関連する予測値の前記セットの第２の予測値と前記フィルタ処理された基準アレイとの間の第２の距離よりも大きいとき、重みの前記第１のセット内の前記第１の重みが重みの前記第１のセットの前記第２の重みよりも大きい、請求項１に記載の方法。
【請求項３】
前記フィルタ処理されていない基準アレイ中の前記複数のフィルタ処理されていない基準値に基づいてフィルタ処理されていない予測値のセットを計算することと、
前記フィルタ処理された基準アレイ中の前記複数のフィルタ処理された基準値に基づいてフィルタ処理された予測値のセットを計算することと、
ここにおいて、予測値の前記セットを計算することが、フィルタ処理されていない予測値の前記セットとフィルタ処理された予測値の前記セットとを使用して予測値の前記セットを計算することを備える、
をさらに備え、好ましくは、
フィルタ処理されていない予測値の前記セットとフィルタ処理された予測値の前記セットとがイントラコーディング方向モードに基づく、請求項１に記載の方法。
【請求項４】
予測値の前記セットを計算することが、以下のパラメトリック式を介して予測値の前記セットを計算することを備える、
【数１】
2018530246.tif 000001
ここにおいて、ｘは、前記現在のブロックのピクセルの列識別子を表し、ｙは、前記現在のブロックの前記ピクセルの行識別子を表し、ｖ［ｘ，ｙ］は、ｘおよびｙによって定義される位置における前記現在のブロックの前記ピクセルの組み合わされた予測値を表し、ｐr［ｘ，ｙ］は、前記複数のフィルタ処理されていない基準値のうちの前記１つまたは複数を表し、ｑs［ｘ，ｙ］は、前記フィルタ処理された基準アレイ中の前記複数のフィルタ処理された基準値のうちの前記１つまたは複数を表し、ｃは、重みの前記第２のセットを表し、１−ｃは、重みの前記第１のセットを表す、請求項１に記載の方法。
【請求項５】
予測値の前記セットを計算することが、以下のパラメトリック式を介して予測値の前記セットを計算することを備える、
【数２】
2018530246.tif 000002
ここで、ｘが、前記現在のブロックのピクセルの列識別子を表し、ｙが、前記現在のブロックのピクセルの行識別子を表し、ｖ［ｘ，ｙ］が、組み合わされた予測値を表し、ｒが、前記フィルタ処理されていない基準アレイを表し、重みの前記第２のセットが、予測パラメータである
【数３】
2018530246.tif 000003
、ｄv、およびｄhを備え、Ｎが、前記現在のブロックのサイズであり、
【数４】
2018530246.tif 000004
が、ビデオコーディング規格のフィルタ処理されていない予測に従って計算される前記複数のフィルタ処理されていない基準値を表し、
【数５】
2018530246.tif 000005
が、前記ビデオコーディング規格のフィルタ処理された予測に従って計算される前記複数のフィルタ処理された基準値を表し、重みの前記第１のセットが、正規化ファクタを表すｂ［ｘ，ｙ］を備え、ｍｉｎ（）が、最小値関数を表す、請求項１に記載の方法。
【請求項６】
【数６】
2018530246.tif 000006
である、請求項４に記載の方法。
【請求項７】
予測値の前記セットを計算することが、以下のパラメトリック式を介して予測値の前記セットを計算することを備える、
【数７】
2018530246.tif 000007
ここで、
【数８】
2018530246.tif 000008
、および
【数９】
2018530246.tif 000009
であり、
ここで、ｘが、前記現在のブロックのピクセルの列識別子を表し、ｙが、前記現在のブロックのピクセルの行識別子を表し、ｖ［ｘ，ｙ］が、組み合わされた予測値を表し、ｒが、前記フィルタ処理されていない基準アレイを表し、重みの前記第２のセットが、予測パラメータである
【数１０】
2018530246.tif 000010
、ｄv、およびｄhを備え、重みの前記第１のセットが、ｂ［ｘ，ｙ］を備え、
【数１１】
2018530246.tif 000011
が、ビデオコーディング規格のフィルタ処理されていない予測に従って計算される前記複数のフィルタ処理されていない基準値を表し、
【数１２】
2018530246.tif 000012
が、前記ビデオコーディング規格のフィルタ処理された予測に従って計算される前記複数のフィルタ処理された基準値を表す、請求項１に記載の方法。
【請求項８】
ビデオデータを符号化する方法であって、
ピクチャの現在のブロック、複数のフィルタ処理された基準値を備えるフィルタ処理された基準アレイ、および複数のフィルタ処理されていない基準値を備えるフィルタ処理されていない基準アレイを受信することと、
ビデオデータのピクチャ中の現在のブロックに対する隣接ブロックを復号することと、
前記隣接ブロック中の前記現在のブロックに対する隣接ピクセルのフィルタ処理されたバージョンを備える複数のフィルタ処理された基準値を備えるフィルタ処理された基準アレイを計算することによって、フィルタ処理された予測を形成することと、
前記隣接ピクセルのフィルタ処理されていないバージョンに対応する複数のフィルタ処理されていない基準値を備えるフィルタ処理されていない基準アレイを計算することによって、フィルタ処理されていない予測を形成することと、
前記現在のブロックのための予測ブロックを生成することと、ここにおいて、生成することが、重みの第１のセットを乗算した前記フィルタ処理された予測と重みの第２のセットを乗算した前記フィルタ処理されていない予測との線形結合に基づいて前記現在のブロックのピクセルのセットに関連する予測値のセットを計算することを備え、
前記現在のブロックと前記予測ブロックとの間の差に基づいて残差ブロックを生成することと、
ビットストリーム中の前記残差ブロックを表すデータを符号化することと
を備える方法。
【請求項９】
予測値の前記セットを前記計算することが、
異なるパラメータ値を使用して予測値の複数のセットを計算することと、
予測値の最適なセットとして予測値の前記セットのうちの１つを選択することと
を備える、請求項８に記載の方法。
【請求項１０】
予測値の前記最適なセットとして予測値の前記セットのうちの前記１つを選択することが、
予測値の前記複数のセットに対してレートひずみ分析を実行することと、
予測値の前記複数のセットの中から最良のレートひずみパフォーマンスをもたらす予測値の前記セットのうちの前記１つを選択することと
を備える、請求項９に記載の方法。
【請求項１１】
前記現在のブロックのための予測ブロックを生成することが、
前記フィルタ処理された基準アレイ中の前記複数のフィルタ処理された基準値のうちの１つまたは複数、あるいは前記フィルタ処理されていない基準アレイ中の前記複数のフィルタ処理されていない基準値のうちの前記１つまたは複数に基づいて前記現在のブロックのピクセルのセットに関連する予測値の第２のセットを計算することと、
予測値の前記第２のセットに対して第２のレートひずみ分析を実行することと、
予測値の前記第２のセットと予測値の前記最適なセットとのうちの１つを選択することと
をさらに備える、請求項１０に記載の方法。
【請求項１２】
前記ビットストリーム中の予測値の前記セットのうちの前記選択された１つに対応する前記パラメータ値を符号化することをさらに備える、請求項９に記載の方法。
【請求項１３】
ビデオデータを復号するためのデバイスであって、
ピクチャに関連するビデオデータを記憶するように構成されたメモリと、
前記メモリと通信し、請求項１乃至７の方法のステップを実行するように構成された１つまたは複数のプロセッサと
を備えるデバイス。
【請求項１４】
ビデオデータを符号化するためのデバイスであって、
ピクチャに関連するビデオを記憶するように構成されたメモリと、
前記メモリと通信し、請求項８乃至１２の方法のステップを実行するように構成された１つまたは複数のプロセッサと
を備えるデバイス。
【請求項１５】
実行されたとき、１つまたは複数のプロセッサに、請求項１乃至１２に記載の方法のうちのいずれか一項のステップを実行することを行わせる、ビデオデータを処理するための命令を記憶した非一時的コンピュータ可読媒体。